(57)【要約】  空調機システムは、直列接続されるコンプレッサー１と、室内熱交換器２と、第一の絞り装置３と室外熱交換器４がメイン回路に含まれており、メイン回路には、熱交換器５がさらに設置され、コンプレッサー１と室外熱交換器４との間に迂回除霜回路Ｐが設置され、熱交換器５の一の側が第一の絞り装置３と室内熱交換器２との間における第一の管路Ｍに接続され、熱交換器５の他の側が第一の絞り装置３と室外熱交換器４との間における第二の管路Ｎに接続され、第一の管路Ｍを通過した冷媒及び第二の管路Ｎを通過した冷媒は、熱交換器５に熱交換を行うことができ、迂回除霜回路Ｐは、空調が暖房している過程において、室外熱交換器４に除霜を行うためのものである。従って、第一の管路Ｍにおける冷媒の超冷却度を効果的に増やすことができるのみならず、第二の管路Ｎにおける冷媒の蒸発を促進し、システムの暖房量を増加し、運転が停止されなくても除霜できる、という目的を達成することができる。【選択図】図１
2021508809.tif 000002
【特許請求の範囲】
【請求項１】
直列接続されている、コンプレッサーと、室内熱交換器と、第一の絞り装置と、室外熱交換器と、がメイン回路に含まれる空調機システムであって、
前記メイン回路に、熱交換器がさらに設置され、前記コンプレッサーと前記室外熱交換器との間には、迂回除霜回路が設置され、
前記熱交換器の一の側が前記第一の絞り装置と前記室内熱交換器との間における第一の管路に接続され、前記熱交換器の他の側が前記第一の絞り装置と前記室外熱交換器との間における第二の管路に接続されることにより、前記第一の管路を通過した冷媒及び前記第二の管路を通過した冷媒は、前記熱交換器に熱交換を行うことができるようにし、
前記迂回除霜回路は、空調が暖房している過程において、前記室外熱交換器に除霜の操作を行うように配置される、
空調機システム。
【請求項２】
前記第一の管路は、前記熱交換器の一の側を通り抜け、及び／又は、前記第二の管路は、前記熱交換器の他の側を通り抜ける、
請求項１に記載の空調機システム。
【請求項３】
前記メイン回路には、前記熱交換器と前記室内熱交換器との間における第一の管路の部分に位置する第二の絞り装置が設置される、
請求項２に記載の空調機システム。
【請求項４】
前記空調機システムが暖房運転している際に、前記第二の絞り装置は、全開の状態になるように配置され、前記第一の絞り装置は、冷媒を絞るように配置される、
請求項３に記載の空調機システム。
【請求項５】
前記空調機システムが冷房運転している際に、前記第一の絞り装置は、全開の状態になるように配置され、前記第二の絞り装置は、冷媒を絞るように配置される、
請求項３に記載の空調機システム。
【請求項６】
前記迂回除霜回路には、前記室外熱交換器に除霜を行う必要がある際に、前記コンプレッサーから流出された冷媒に前記迂回除霜回路を通過させ、前記室外熱交換器に除霜の操作を行うようにオンにされ、さらに、前記室外熱交換器に除霜を行う必要が無くなる際に、オフにされるように配置される絞り弁が設置される、
請求項１に記載の空調機システム。
【請求項７】
前記コンプレッサーには、気液分離器が設置され、
冷媒は、前記気液分離器を経た後に、前記コンプレッサーに回流する、
請求項１から６のいずれか一つに記載の空調機システム。
【請求項８】
前記空調機システムは、冷房モードと暖房モードとの間に前記空調機システムを切り替えるためのモード切り替え装置がさらに含まれる、
請求項１から６のいずれか一つに記載の空調機システム。
【請求項９】
前記モード切り替え装置は、四方弁である、請求項８に記載の空調機システム。
【発明の詳細な説明】
【技術分野】
【０００１】
本発明は、空調機の技術分野に関し、特に空調機システムに関する。
【背景技術】
【０００２】
従来の空調機システムは、一般的に、コンデンサーと、絞り装置と、蒸発器と、コンプレッサーとにより、冷房／暖房の循環回路を形成している。コンプレッサーから排出された高温・高圧の気体冷媒は、コンデンサーに低温・高圧の液体として凝縮され、しかも、絞り装置により低温・低圧の液体として絞られる。次に、蒸発器に入り、吸熱して蒸発されると、一つの冷房／暖房のサイクルが完了することになる。
【０００３】
空調機が暖房運転している際に、高温・高圧の気体冷媒は、コンデンサーにより熱交換された後に、低温・高圧の液体の冷媒になり、また、絞り装置により絞って降圧された後に、低温・低圧の気体相と液体相が共に存在しているものになり、蒸発器に入り熱交換を行うことになる。蒸発の面積は、大きいほど、相対的に蒸発の能力が高い。なお、低温・高圧の液体の冷媒は、放熱しつつあると、超冷却度が高くなり、システムの循環における冷房・暖房量を増加させることになる。冷却材は、熱交換が行われると、９５％以上の熱交換量がその気体相と液体相の気化潜熱によるものであり、単一の相（単純な液体や気体）の定圧比熱容量が相当に小さく、熱交換量がシステムの循環の全体に占める比は小さい。また、気体の冷却材は、管路内の降圧が大きく、システムの循環における圧力損失の主な源であり、循環の電力消費量が増加し、システムの循環におけるエネルギー消費が増加してしまう恐れがある。
【発明の概要】
【発明が解決しようとする課題】
【０００４】
なお、図３を参照すると、図３は、従来の空調機が暖房運転している際の循環の原理図である。図３に示されるように、空調機が暖房運転する実際の運転の温度点については、一般的に、冷媒は、Ａ点で７０℃の高温の気体となり、室内熱交換器に入ると２０℃の室内の環境と熱交換を行い、温度が３０℃まで低下し、機器接続管を通過した後に絞り装置に入る。また、Ｂ点と絞り装置との間の温度（３０℃程度）が７℃の室外環境温度よりも遥かに高く、余熱が無駄になってしまう。そして、余熱が吸収されて利用されると、システムの循環における超冷却度を増加することができる。本発明は、このことに鑑みてなされたものである。
【課題を解決するための手段】
【０００５】
従来技術における上記の課題を解決するために、即ち、空調機の暖房サイクルの効果を向上させるために、本発明が提供する空調機システムは、直列接続されている、コンプレッサーと、室内熱交換器と、第一の絞り装置と、室外熱交換器と、がメイン回路に含まれる空調機システムであって、前記メイン回路には、熱交換器がさらに設置され、前記コンプレッサーと前記室外熱交換器との間には、迂回除霜回路が設置され、前記熱交換器の一の側が前記第一の絞り装置と前記室内熱交換器との間における第一の管路に接続され、前記熱交換器の他の側が前記第一の絞り装置と前記室外熱交換器との間における第二の管路に接続されることから、前記第一の管路を通過した冷媒及び前記第二の管路を通過した冷媒は、前記熱交換器に熱交換を行うことができるようにし、前記迂回除霜回路は、空調が暖房している過程において、前記室外熱交換器に除霜の操作を行うように配置される。
【０００６】
上記の空調機システムに係る好ましい実施形態において、前記第一の管路は、前記熱交換器の一の側を通り抜け、及び／又は、前記第二の管路は、前記熱交換器の他の側を通り抜ける。
【０００７】
上記の空調機システムに係る好ましい実施形態において、前記メイン回路には、前記熱交換器と前記室内熱交換器との間における第一の管路の部分に位置する第二の絞り装置が設置される。
【０００８】
上記の空調機システムに係る好ましい実施形態において、前記空調機システムが暖房運転している際に、前記第二の絞り装置は、全開の状態になり、前記第一の絞り装置は、冷媒を絞るためのものである。
【０００９】
上記の空調機システムに係る好ましい実施形態において、前記空調機システムが冷房運転している際に、前記第一の絞り装置は、全開の状態になり、前記第二の絞り装置は、冷媒を絞るためのものである。
【００１０】
上記の空調機システムに係る好ましい実施形態において、前記迂回除霜回路には、前記室外熱交換器に除霜を行う必要がある場合に、前記コンプレッサーから流出された冷媒に前記迂回除霜回路を通過させ、前記室外熱交換器に除霜の操作を行うようにオンにされ、しかも、前記室外熱交換器に除霜を行う必要が無くなる場合に、オフにされる絞り弁が設置される。
【００１１】
上記の空調機システムに係る好ましい実施形態において、前記コンプレッサーには、気液分離器が設置され、冷媒は、前記気液分離器を経た後に、前記コンプレッサーに回流する。
【００１２】
上記の空調機システムに係る好ましい実施形態において、前記空調機システムは、冷房モードと暖房モードとの間に前記空調機システムを切り替えるためのモード切り替え装置がさらに含まれる。上記の空調機システムに係る好ましい実施形態において、前記モード切り替え装置は、四方弁である。
【００１３】
本発明に係る技術の形態は、空調機システムに熱交換器が追加され、当該熱交換器の両側のそれぞれが第一の管路と第二の管路に接続されることから、第一の管路における冷媒及び第二の管路における冷媒は、熱交換器に熱交換を行うことができる。第一の管路における冷媒の超冷却度を効果的に増やすことができるのみならず、第二の管路における冷媒の蒸発を促進しシステムの暖房量を増加することができる。しかも、本発明は、迂回除霜回路が追加され、空調機が除霜している過程において、冷媒が室内熱交換器に入り暖房を行いつつあるようにすることができる。即ち、空調機に依然として暖房の状況を維持させ、空調機の運転が停止されなくても除霜できる、という目的を達成することができる。また、本発明に係る空調機は、第二の絞り装置を設置する形態により、空調機が冷房モードに切り替えられた時に、第一の絞り装置（この時に、第一の絞り装置が全開の状態にある）に代わり、当該第二の絞り装置を利用し、冷媒を絞ることから、冷房サイクルを行う際に、冷房量が低下してしまう現象を避けることができる。
【図面の簡単な説明】
【００１４】
【図１】本発明に係る空調機システムの実施例一の構成の原理図である。
【図２】本発明に係る空調機システムの実施例二の構成の原理図である。
【図３】従来の空調機が暖房運転している際の循環の原理図である。
【発明を実施するための形態】
【００１５】
本発明に係る実施例、技術の形態及び利点をより明確にするように、以下に、図面に基づいて、本発明に係る技術の形態を明確にかつ完全に説明する。この実施例が、本発明に係る実施例のすべてでなく、その一部だけに過ぎないことも自明である。これらの実施形態は、本発明に係る保護範囲を限定するものではなく、あくまでも本発明に係る技術原理を説明するためのものであることも、当業者にとって理解するべきである。
【００１６】
まず、図１を参照すると、図１は、本発明に係る空調機システムの実施例一の構成の原理図である。図１に示されるように、本発明に係る空調機システムでは、直列接続されるコンプレッサー１と、室内熱交換器２と、第一の絞り装置３と、室外熱交換器４と、がメイン回路に含まれる。当該メイン回路に、さらに、熱交換器５が設置される。説明を便宜にするように、第一の絞り装置３と室内熱交換器２との間における管路を第一の管路Ｍとし、第一の絞り装置３と室外熱交換器４との間における管路を第二の管路Ｎとし、熱交換器５の一の側を第一の管路Ｍに接続し、熱交換器５の他の側を第二の管路Ｎに接続する。図１に示されるように、その接続は、第一の管路Ｍが熱交換器５の一の側を通り抜け、第二の管路Ｎが熱交換器Ｎの他の側を通り抜けるという方式になる。しかも、第一の管路Ｍを通過した冷媒及び第二の管路Ｎを通過した冷媒は、熱交換器５に熱交換を行うことができる。また、本発明に係る空調機システムでは、コンプレッサー１と室外熱交換器４との間に、空調が暖房サイクルにある過程において、室外熱交換器４に除霜の操作を行わせるための迂回除霜回路Ｐがさらに設置される。
【００１７】
例示すると、図１に示されるように、迂回除霜回路Ｐに、絞り弁７を設置し、室外熱交換器４に除霜を行う必要がある場合に、絞り弁７をオンにし、冷媒に迂回除霜回路Ｐを通過させ、室外熱交換器４に除霜の操作を行う一方、室外熱交換器４に除霜を行う必要が無くなる場合に、絞り弁７をオフにする。迂回除霜回路Ｐを追加することにより、空調機が除霜している過程に、冷媒が室内熱交換器２に入り暖房を行いつつあるようにすることができる。即ち、空調機に依然として暖房の状況を維持させ、空調機の運転が停止されなくても除霜できる、という目的を達成することができる。
【００１８】
空調機が暖房サイクルにある過程では、コンプレッサー１から排出された高温・高圧気体冷媒は、室内熱交換器２へ流出し、室内熱交換器２に熱交換を行って低温・高圧の液体冷媒になる。冷媒は、第一の管路Ｍに沿ってＣ点に到着すると、冷媒の温度が２０℃程度となる（ここでの熱量は、十分に利用されていない廃棄熱である）。次に、冷媒は、第一の絞り装置３に絞られた後に、第二の管路Ｎに入ると、Ｄ点での冷媒（絞られた冷媒）の温度は５℃程度となる。第一の管路Ｍにおける冷媒と第二の管路Ｎにおける冷媒との間に温度差が存在しており、いずれも熱交換器５を通過するため、第一の管路Ｍにおける冷媒及び第二の管路Ｎにおける冷媒は、熱交換器５に熱交換を行うことになる。そして、第一の管路Ｍにおける冷媒の超冷却度（即ち、Ｃ点から第一の絞り装置３までの冷媒が放熱して温度が下がりつつある）を効果的に増やすことができるのみならず、第二の管路Ｎにおける冷媒の蒸発（即ち、Ｄ点での低温の冷媒は、Ｃ点での残り熱を蒸発して吸熱することができるため、これは、蒸発の面積を増加させて熱交換の能力を効果的に向上させることに相当する）を促進して暖房量を増加することができる。
【００１９】
空調機が暖房運転している過程において、第一の管路Ｍにおける冷媒は、熱交換器５に熱交換を行った後に、第一の絞り装置３に入り、Ｄ点で低温・低圧の気体相及び液体相が共に存在しているものになり、室外熱交換器４を通過してコンプレッサー１へ回流する。この設計によれば、空調機が暖房運転している過程において、廃棄熱を再度利用して、システム全体の暖房量を増加することができる。
【００２０】
注意されたいことは、上記に記載される熱交換器５は、水を貯める水タンクであってもよく、第一の絞り装置３における上流と下流の冷媒に熱交換を行わせるものであれば、他の任意の適当なものであってもよい。また、上記の設計は、暖房サイクルの際の暖房量を効果的に向上させる一方、冷房サイクルの際の冷房量を低下させるものである。
【００２１】
例示すると、本発明に係る空調機システムは、冷房モードと暖房モードとの間に空調機システムを切り替えるためのモード切り替え装置（例えば、図１に示される四方弁Ｑ）をさらに含む。
【００２２】
例示すると、図２を参照し、図２は本発明に係る空調機システムの実施例二の構成の原理図である。図２に示されるように、本発明に係る空調機システムは、さらに、熱交換器５と室内熱交換器２との間における第一の管路Ｍ部分に位置する第二の絞り装置６がメイン回路に設置される。空調機が暖房運転している際に、第二の絞り装置６は、全開の状態になり、第一の絞り装置３は、冷媒を絞るためのものである。この時、実施例一に係る空調機システムの原理と同様に、四方弁Ｑにより空調機システムを冷房の運転に切り替えると、第一の絞り装置３は、全開の状態になり、第二の絞り装置６は、冷媒を絞るためのものである。この時、熱交換器５における両側の冷媒は、温度差がほぼなくなる。即ち、熱交換器５が冷房サイクルを行う過程において機能せず、冷房サイクルの全体が通常の冷房サイクルとなる。そして、冷房が運転している際の冷房量が低下してしまうことを避けることができる。
【００２３】
好ましくは、図１と図２を参照すると、コンプレッサー１に気液分離器１１を設置し、コンプレッサー１に入った気体の冷媒は、まず、当該気液分離器１１を経て、次に、コンプレッサー１に吸入されることから、次のサイクルをスタートさせることになる。
【００２４】
以上より、本発明に係る空調機システムは、熱交換器を追加すると共に、当該熱交換器の両側のそれぞれが第一の管路と第二の管路に接続されることから、第一の管路における冷媒及び第二の管路における冷媒は、熱交換器に熱交換を行うことができる。第一の管路における冷媒の超冷却度を効果的に増やすことができるのみならず、第二の管路における冷媒の蒸発を促進してシステムの暖房量を増加することができる。本発明は、迂回除霜回路をさらに追加し、空調機が除霜している過程において、冷媒が室内熱交換器に入り暖房を行いつつあるようにすることができる。即ち、空調機に依然として暖房の状況を維持させ、空調機の運転が停止されなくても除霜できる、という目的を達成することができる。また、本発明は、第二の絞り装置を設置する形態により、空調機が冷房モードに切り替えられた時に、第一の絞り装置（この時に、第一の絞り装置が全開の状態にある）に代わり、当該第三の絞り装置を利用し、冷媒を絞ることから、冷房サイクルを行う際に、冷房量が低下してしまう現象を避けることができる。
【００２５】
なお、図面に示される好ましい実施形態を組み合わせて、本発明に係る技術の形態を説明したが、本発明に係る保護の範囲がこれらの具体的な実施形態に限られていないことも、当業者にとって容易に理解され得る。本発明に係る原理を逸脱しないという前提で、当業者が関連技術の特徴に同等の変形や代替を行ってもよく、これらの変形や代替が行われた技術の形態も本発明に係る保護範囲に含まれている。
【図１】
2021508809.tif 000003
【図２】
2021508809.tif 000004
【図３】
2021508809.tif 000005
【国際調査報告】
2021508809.tif 000006
2021508809.tif 000007
2021508809.tif 000008
2021508809.tif 000009
2021508809.tif 000010
2021508809.tif 000011